(57)【要約】      （修正有）【課題】大きな地震や台風で低層住宅用の躯体に荷重が掛かっても低層住宅用の躯体が移動したり流されて損傷したりするのを効率よく阻止することができる低層住宅用の基礎構造を提供する。【解決手段】ベース基礎形成部の表面より地面内に形成した複数個のベース基礎補強用の凹部３と、複数個のベース基礎補強用の凹部内にそれぞれ挿入された補強筒４と、複数個の補強筒の下端部にそれぞれ係止され上端部がベース基礎形成部に形成されるベース基礎５の鉄筋に固定される筒状の補強鉄筋と、複数個の補強筒内および複数個の補強筒の外周とベース基礎補強用の凹部との間に充填されたコンクリートと、ベース基礎形成部に形成された複数個の筒状の補強鉄筋の上端部と固定される鉄筋１１、１２を備えるベース基礎とで低層住宅用の基礎構造を構成している。【選択図】図１
0003206521.tif 000002
【実用新案登録請求の範囲】
【請求項１】
ベース基礎形成部の表面より地面内に形成した複数個のベース基礎補強用の凹部と、この複数個のベース基礎補強用の凹部内にそれぞれ挿入された補強筒と、この複数個の補強筒の下端部にそれぞれ係止され上端部が前記ベース基礎形成部に形成されるベース基礎の鉄筋に固定される筒状の補強鉄筋と、前記複数個の補強筒内および複数個の補強筒の外周と前記ベース基礎補強用の凹部との間に充填されたコンクリートと、前記ベース基礎形成部に形成された前記複数個の筒状の補強鉄筋の上端部と固定される鉄筋を備えるベース基礎とからなることを特徴とする低層住宅用の基礎構造。
【考案の詳細な説明】
【技術分野】
【０００１】  本考案は一戸建て住宅等の低層住宅用の基礎構造に関する。
【背景技術】
【０００２】  従来、低層住宅用の基礎構造は基礎基盤の改良のための杭は用いない。軟弱地盤であっても基礎地盤を十分に転圧整備すれば布基礎が躯体重量をほぼ確実に支持するものと考えられていた。
しかしながら、このような低層住宅用の基礎構造では大きな地震や台風によって、低層住宅用の躯体に加わる荷重によって、低層住宅用の躯体が低層住宅用の基礎を破壊し、低層住宅用の基礎から離れて低層住宅用の躯体が移動したり流されて、損傷してしまうという欠点があった。
【先行技術文献】
【特許文献】
【０００３】
【特許文献１】  特開２００３−９６７９０
【考案の概要】
【考案が解決しようとする課題】
【０００４】  本考案は以上のような従来の欠点に鑑み、大きな地震や台風で低層住宅用の躯体に荷重が掛かっても低層住宅用の躯体が移動したり流されて損傷したりするのを効率よく阻止することができる低層住宅用の基礎構造を提供することを目的としている。【０００５】  本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】  上記目的を達成するために、本考案はベース基礎形成部の表面より地面内に形成した複数個のベース基礎補強用の凹部と、この複数個のベース基礎補強用の凹部内にそれぞれ挿入された補強筒と、この複数個の補強筒の下端部にそれぞれ係止され上端部が前記ベース基礎形成部に形成されるベース基礎の鉄筋に固定される筒状の補強鉄筋と、前記複数個の補強筒内および複数個の補強筒の外周と前記ベース基礎補強用の凹部との間に充填されたコンクリートと、前記ベース基礎形成部に形成された前記複数個の筒状の補強鉄筋の上端部と固定される鉄筋を備えるベース基礎とからなる低層住宅用の基礎構造を構成している。
【考案の効果】
【０００７】  以上の説明から明らかなように、本考案にあっては次に列挙する効果が得られる。
（１）請求項１によって、ベース基礎形成部に形成されたベース基礎の鉄筋にベース基形成部の表面より地面内に形成した複数個のベース基礎補強用の凹部内にそれぞれ挿入された補強筒の下端部にそれぞれ係止され上端部が前記ベース基礎形成部に形成されるベース基礎の鉄筋に固定される筒状の補強鉄筋を設けるとともに、複数個の補強筒内および複数個の補強筒の外周とベース基礎補強用の凹部との間にコンクリートを充填して固定しているので、ベース基礎を確実に地面に固定状態で設けることができ、このベース基礎に設置される低層住宅用の躯体も地面に確実に固定状態で設けることができる。
このため、大きな地震や台風でも地面あるいはベース基礎より低層住宅用の躯体が移動したり流されて損傷したりするのを効率よく阻止することができる。【０００８】（２）前記（１）により、ベース基礎補強用の凹部内にそれぞれ挿入された補強筒の下端部にそれぞれ係止され上端部が前記ベース基礎形成部に形成されるベース基礎の鉄筋に固定される筒状の補強鉄筋を用いているので、筒状の補強鉄筋を補強筒に簡単で強固に固定することができ、ベース基礎と補強筒とを強固に固定することができる。【０００９】（３）前記（１）により、複数個の補強筒内および複数個の補強筒の外周と前記ベース基礎補強用の凹部との間にコンクリートを充填して固定しているので、地面と複数個の補強筒とを強固に固定することができる。【００１０】（４）前記（１）により、補強筒の下端部より筒状の補強鉄筋の上端部を挿入するだけで、補強筒に補強鉄筋を取り付けることができるので、補強筒に補強鉄筋の取り付けが容易で安価に設置することができる。
【図面の簡単な説明】
【００１１】
【図１】本考案を実施するための最良の第１の形態の平面図。
【図２】図１の２‐２線に沿う断面図。
【図３】本考案を実施するための最良の第１の形態の補強鉄筋を備える補強筒の平面図。
【図４】図３の４‐４線に沿う断面図。
【図５】本考案を実施するための最良の第２の形態の平面図。
【図６】図５の６‐６線に沿う断面図。
【考案を実施するための最良の形態】
【００１２】  以下、図面に示す考案を実施するための最良の形態により、本考案を詳細に説明する。【００１３】  図１ないし図４に示す本考案を実施するための最良の第１の形態において、１は本考案の低層住宅用の基礎構造１で、この低層住宅用の基礎構造１はベース基礎形成部２の四隅部の表面２ａより地面２ｂ内に形成した複数個のベース基礎補強用の凹部３、３、３、３と、この複数個のベース基礎補強用の凹部３、３、３、３内にそれぞれ挿入された補強筒４、４、４、４と、この複数個の補強筒４、４、４、４の下端部４ａにそれぞれ係止され上端部４ｂが前記ベース基礎形成部２に形成されるベース基礎５の鉄筋に固定される筒状の補強鉄筋６、６、６、６と、前記複数個の補強筒４、４、４、４内および複数個の補強筒４、４、４、４の外周と前記ベース基礎補強用の凹部３、３、３、３との間に充填されたコンクリート７、７、７、７と、前記ベース基礎形成部２に形成された前記複数個の筒状の補強鉄筋６、６、６、６の上端部と固定される鉄筋を備えるベース基礎５とで構成されている。
前記補強筒４、４、４、４は丸い筒状のヒューム管や底面が開口されたドラム缶であってもよい。
前記筒状の補強鉄筋６、６、６、６は前記補強筒４内に挿入され所定間隔で配置される複数個のリング横鉄筋６ａと、この複数個のリング横鉄筋６ａに所定間隔で固定された下端部に前記補強筒４の下端部４ａと係合するクランク状あるいは凹部状の係止部６ｂが形成され、上端部が前記補強筒４の上端部４ｂより突出して前記ベース基礎５の鉄筋１１、１２に曲げられて針金で固定される固定部６ｃが形成された複数個の縦鉄筋６ｄとで構成されている。
前記ベース基礎５は前記ベース基礎形成部２に敷設された防湿フイルム９と、この防湿フイルム９上に設置された立ち上り基礎部１０ａを有するコンクリート層１０と、この立ち上り基礎部１０ａを含むコンクリート層１０間に所定間隔で設置された縦、横の鉄筋１１、１２とで構成されている。
なお、躯体１６は前記ベース基礎５の立ち上り基礎部１０ａに埋設された複数本のボルト１３にナット１４を用いて従来と同様に土台１５に固定状態で取り付けられる。
また、複数個のベース基礎補強用の凹部３、３、３、３内の底面にも防湿フイルム９、９、９、９が敷設されている。【００１４】  上記構成の低層住宅用の基礎構造１はベース基礎形成部２の四隅部に形成したベース基礎補強用の凹部３、３、３、３内に筒状の補強鉄筋６、６、６、６を備える補強筒４、４、４、４を挿入して、内部および外周部にコンクリート７、７、７、７を充填して固定しているので、ベース基礎５を地面２ｂに強固に固定することができる。
【考案を実施するための異なる形態】
【００１５】  次に、図５および図６に示す本考案を実施するための異なる形態につき説明する。なお、この本考案を実施するための異なる形態の説明に当たって、前記本考案を実施するための第１の形態と同一構成部分には同一符号を付して重複する説明を省略する。
【００１６】  図５および図６に示す本考案を実施するための第２の形態において、前記本考案を実施するための第１の形態と主に異なる点はベース基礎形成部２の四隅部、該ベース基礎形成部２の四隅部間および中央部のベース基礎補強用の凹部３、３、３、３、３、３、３を形成し、該ベース基礎補強用の凹部３、３、３、３、３、３、３内に筒状の補強鉄筋６、６、６、６、６、６、６を備える補強筒４、４、４、４、４、４、４を挿入して、内部および外周部にコンクリート７、７、７、７、７、７、７を充填して固定した点で、このように構成した低層住宅用の基礎構造１Ａで、この低層住宅用の基礎構造１Ａにしても前記本考案を実施するための第１の形態と同様な作用効果が得られる。
【００１７】  なお、ベース基礎形成部２に形成するベース基礎補強用の凹部は場所や地盤によって任意の数が設定される。
【産業上の利用可能性】
【００１８】  本考案は低層住宅用の基礎構造を設置する産業で利用される。
【符号の説明】
【００１９】１、１Ａ：低層住宅用の基礎構造、
２：ベース基礎形成部、
３：ベース基礎補強用の凹部、
４：補強筒、
５：ベース基礎、
６：筒状の補強鉄筋、
７：コンクリート、
９：防湿フイルム、
１０：コンクリート層、
１１：縦の鉄筋、
１２：横の鉄筋、
１３：ボルト、
１５：土台、
１６：躯体。
【図１】
0003206521.tif 000003
【図２】
0003206521.tif 000004
【図３】
0003206521.tif 000005
【図４】
0003206521.tif 000006
【図５】
0003206521.tif 000007
【図６】
0003206521.tif 000008